(57)【要約】      （修正有）【課題】必要に応じてテントからフロントシートを取り外すことができ、これによりテントから離れた場所でこのシートを使用でき、かつこのシート上のごみを纏めて払い落とせるとともに、このシートの新品交換や素材、色、柄等の異なるシートへの変更が可能なテントを提供する。【解決手段】いわゆるポップアップテントにおいて、フロントシート２１を、掛止部材２０を介して、テント本体１４の床面シートの前端に着脱自在に連結し、必要に応じてフロントシート２１をテント１０から取り外せる構成とした。その結果、テント１０から離れた場所でフロントシート２１を使用できる。また、シート表面に砂や木の葉が落ちたとき、これを振って纏めて払い落とせる。しかも、フロントシート２１の破損等の場合には、簡単に新品に交換でき、好みに合わせて色や柄が異なるものに変更できる。【選択図】図１
0003213536.tif 000002
【実用新案登録請求の範囲】
【請求項１】
弾性変形自在な無端線材を８の字状に湾曲することで、この８の字の交点を挟んで連続した左右一対のループ部からなるフレームと、該フレームに張設された布地からなるテント本体とを備え、
前記テント本体は、
各前記ループ部に展張された左右一対の側面シートと、
各該側面シートの下端同士を連結する床面シートと、
前記各側面シートの前端同士を連結し、かつ出入口が形成された前面シートと、
前記各側面シートの後端同士を連結する後面シートと、
前記床面シートの前端に、掛止部材を介して着脱自在に連結されるフロントシートとを有したことを特徴とするテント。
【請求項２】
前記出入口は、上底より下底の方が長い台形状のもので、
前記出入口は、不透明な前記布地からなる目隠し用のスクリーン扉と、該スクリーン扉の内側に配置された通気性を有するメッシュ扉とからなる２重扉によって開閉自在に塞がれ、
前記スクリーン扉は、下端のみが前記床面シートの前端に分離不能に連結され、かつ２個のスクリーン扉用スライダを有して下向きコの字状に配されたスクリーン扉用線状ファスナにより開閉自在に構成され、
前記メッシュ扉は、該メッシュ扉の幅方向の中間部に配されて、第１のスライダを上方向へ移動させることで開扉する縦方向に延びた第１の線状ファスナと、該第１の線状ファスナの下端から左方向に延びて、第２のスライダを左方向へ移動させることで開扉する第２の線状ファスナと、前記第１の線状ファスナの下端から右方向に延びて、第３のスライダを右方移動させることで開扉する第３の線状ファスナとにより開閉可能なカーテン式のもので、
前記テント本体の左右の前側部分には、前記メッシュ扉の開扉により現出した左側部分メッシュ扉と右側部分メッシュ扉とをそれぞれ束ねる左右一対のメッシュ扉用タッセルが配設されたことを特徴とする請求項１に記載のテント。
【請求項３】
前記床面シートの前端には、ロール状に巻き取った前記スクリーン扉を掛止するためのスクリーン扉用タッセルが設けられたことを特徴とする請求項１または請求項２に記載のテント。
【請求項４】
前記後面シートには、通気性を有するメッシュシートが展張された通気窓が形成され、
前記通気窓は、不透明な前記布地からなる目隠し用のカバーシートにより開閉自在に塞がれたことを特徴とする請求項１〜請求項３のうち、何れか１項に記載のテント。
【考案の詳細な説明】
【技術分野】
【０００１】
本考案は、テント、詳しくは軽量かつコンパクトに折畳みが可能なテントに関する。
【背景技術】
【０００２】
例えば、海や山での野外宿泊や休憩のために、携帯可能な折り畳み式のテントが開発されている。従来、このようなテントとして、無端線材の弾性力によってワンタッチ設営が可能な、いわゆる“ポップアップテント（ワンタッチテント）”が知られている（例えば、特許文献１等）。
特許文献１のテントは、弾性変形自在な無端線材を８の字状に湾曲することで、この８の字の交点を挟んで連続した左右一対のループ部からなるフレームと、フレームに張設されて、テントの布地部分の全体を構成するテント本体とを備えたものである。
【０００３】
テント本体は、各ループ部に展張された左右一対の側面シートと、床面シートと、出入口が形成された前面シートと、後面シートと、フロントシートとを有している。このうち、フロントシートは、床面シートの前端に分離不能に連結された屋外に配置される床面シートの延長部分で、テント内の使用者が出入口の外へ足を伸ばしてくつろいだり、荷物を置くスペースとなる。
特許文献１のテントの設営に際しては、フレームの弾性力とテント本体の張力とにより、ほぼ瞬時にテント本体がドーム状（山形状）に展張される。また、テント撤収時には、左右一対のループ部を重ね合わせた後、無端線材の弾性力に抗してこれらをねじ曲げて、小径な薄形円板状の物体に折り畳む。その後、これを専用の収納袋に収納する。
【先行技術文献】
【特許文献】
【０００４】
【特許文献１】実用新案登録第３２０７１４５号公報
【考案の開示】
【考案が解決しようとする課題】
【０００５】
しかしながら、特許文献１のテントでは、フロントシートが床面シートの前端に分離不能に連結されていた。そのため、例えば、テントから離れた場所でフロントシートを広げて、食事や足を伸ばして寛ぐことはできなかった。
また、このフロントシートは、テントの設営場所によっては使用できないこともある。その場合、フロントシートが邪魔になっていた。
【０００６】
さらに、このフロントシートは、テントの外で使用する。そのため、土や砂のほか、木の葉等のごみが飛来し、シート表面が汚れていた。そこで、フロントシートを振るってごみをまとめて除去したいが、フロントシートが床面シートから外れないため、手や箒などで掃き出すしかなく、手間がかかっていた。
さらにまた、屋外使用されるフロントシートは、砂利の上に広げた状態で重量物の荷物を載せることがある。このような使用が度重なることで、フロントシートが破損することがあった。破損したフロントシートは新品に交換したいものの、フロントシートと床面シートとが分離不能となっているため、交換できなかった。
また、一般的にテント本体は、フロントシートを含めて、全体が同一素材、同一色、同一柄で統一されていた。そのため、使用者の好みに応じて、素材、色、柄等が異なるフロントシートに変更することはできなかった。
【０００７】
そこで、考案者は鋭意研究の結果、フロントシートをテント本体の床面シートの前端に着脱自在に取り付ければ、上述した課題はすべて解消されることを知見し、この考案を完成させた。
【０００８】
本考案は、このような問題点に鑑みなされたもので、必要に応じてフロントシートを取り外すことができ、これにより、テントから離れた場所でのフロントシートの使用が可能で、かつフロントシートを振るってシート表面上のごみを纏めて払い落とせるとともに、フロントシートの破損や汚れが激しい場合には新品に交換でき、また使用者の好みに応じて、素材、色、柄等の異なるフロントシートに変更することができるテントを提供することを目的としている。
【課題を解決するための手段】
【０００９】
請求項１に記載の考案は、弾性変形自在な無端線材を８の字状に湾曲することで、この８の字の交点を挟んで連続した左右一対のループ部からなるフレームと、該フレームに張設された布地からなるテント本体とを備え、前記テント本体は、各前記ループ部に展張された左右一対の側面シートと、各該側面シートの下端同士を連結する床面シートと、前記各側面シートの前端同士を連結し、かつ出入口が形成された前面シートと、前記各側面シートの後端同士を連結する後面シートと、前記床面シートの前端に、掛止部材を介して着脱自在に連結されるフロントシートとを有したことを特徴とするテントである。
【００１０】
ここでいう“テント”とは、いわゆる無端線材の弾性力によってワンタッチ設営が可能な“ポップアップテント（ワンタッチテント）”である。
無端線材としては、例えば、ピアノ線、スチールワイヤ等の各種のワイヤを採用することができる。その他、弾性を有していれば、ポリエチレンや繊維強化プラスチック（ＦＲＰ）などの各種の合成樹脂からなる線状体でもよい。
フレームは、無端線材を８の字状にねじ曲げて、この８の字の交点を中心として連続する左右一対のループ部からなる。
テント本体とは、テントの布地部分の全体を構成するものである。布地としては、例えば、防水性や撥水性を有した各種の織布、不織布、合成樹脂シートなどを採用することができる。特に、ＵＶカット率が高く、不燃性素材からなる布地が好ましい。
【００１１】
出入口は、各種の不透明な布地からなる目隠し用のスクリーン扉により開閉自在に塞ぐことができる。また、スクリーン扉の内側には、通気性を有して蚊などの侵入を防ぐとともに、テント内の視認性を低下させるメッシュ扉を設けてもよい。
各扉の出入口への取り付けには、例えば、線状ファスナ、面状ファスナなどの各種のファスナを採用することができる。その他、ホック、クリップ、タッセルといった各種の係止具を利用してもよい。
また、出入口は、各扉を含めて、前面シートだけでなく後面シートにも設けることができる。
【００１２】
フロントシートの形状は任意である。例えば、矩形状、円形状、楕円形状、三角形以上の多角形状などを採用することができる。
フロントシートのサイズも任意である。例えば、床面シートのサイズ（表面積）を基準として、その１０％〜３００％である。なお、不使用時に、フロントシートを床面シートの前端（前側の辺）を中心にして折り返し、床面シートの上に重ね合わせられるように、フロントシートの形状およびサイズは、床面シートと各同一とした方が好ましい。
掛止部材の種類は、フロントシートを、床面シートの前端に掛止可能であれば任意である。例えば、線状ファスナ、面状ファスナなどの各種のファスナを採用することができる。その他、ホック、クリップ、タッセル、連結紐でもよい。
【００１３】
請求項２に記載の考案は、前記出入口は、上底より下底の方が長い台形状のもので、前記出入口は、不透明な前記布地からなる目隠し用のスクリーン扉と、該スクリーン扉の内側に配置された通気性を有するメッシュ扉とからなる２重扉によって開閉自在に塞がれ、前記スクリーン扉は、下端のみが前記床面シートの前端に分離不能に連結され、かつ２個のスクリーン扉用スライダを有して下向きコの字状に配されたスクリーン扉用線状ファスナにより開閉自在に構成され、前記メッシュ扉は、該メッシュ扉の幅方向の中間部に配されて、第１のスライダを上方向へ移動させることで開扉する縦方向に延びた第１の線状ファスナと、該第１の線状ファスナの下端から左方向に延びて、第２のスライダを左方向へ移動させることで開扉する第２の線状ファスナと、前記第１の線状ファスナの下端から右方向に延びて、第３のスライダを右方移動させることで開扉する第３の線状ファスナとにより開閉可能なカーテン式のもので、前記テント本体の左右の前側部分には、前記メッシュ扉の開扉により現出した左側部分メッシュ扉と右側部分メッシュ扉とをそれぞれ束ねる左右一対のメッシュ扉用タッセルが配設されたことを特徴とする請求項１に記載のテントである。
【００１４】
出入口の形状は、テントの略半円状をした前面の形状を考慮し、上底より下底の方が長い台形状としている。
スクリーン扉の素材は、目隠しとなる不透明な布地であれば限定されない。例えば、テント本体と同じ布地でもよい。
スクリーン扉は、下端のみが床面シートの前端に分離不能に連結され、その他の左端、右端および上端は、テントの前面シートから分離している。
スクリーン扉用線状ファスナは、このファスナの閉じ位置（各スライダの当接位置）を任意に変更可能な２個のスクリーン扉用スライダを具備したものである。
【００１５】
第１の線状ファスナは、メッシュ扉を横方向（左右方向）へ２等分割するためのものである。
第２の線状ファスナは、第１の線状ファスナにより２等分割された左側の扉部分の下端を、前面シートの下端部から着脱自在に分離するためのものである。
第３の線状ファスナは、第１の線状ファスナにより２等分割された右側の扉部分の下端を、前面シートの下端部から着脱自在に分離するためのものである。
第１〜第３の線状ファスナを開くことで、メッシュ扉は、左側部分メッシュ扉と右側部分メッシュ扉とに２等分割される。
２個のスクリーン扉用スライダと第１〜第３のスライダとは、テントの内外両方からスクリーン扉またはメッシュ扉を開閉できるように、スライダの胴体の内側および外側に引手をそれぞれ取り付けた方が好ましい。また、使用者がテントから離れたり、テント内で就寝する際には、各スクリーン扉用スライダの引手同士と、第１〜第３のスライダの引手同士とをそれぞれ鍵止めし、防犯性を高めてもよい。
【００１６】
メッシュ扉の素材は、通気性を有していれば任意である。例えば、ポリプロピレン、ポリエステル、グラスファイバーなどを採用することができる。
メッシュ扉は、布地に微細な孔を形成したり、格子状に織った布地により構成することができる。
メッシュ扉の網目サイズは、例えば、１５〜５０メッシュである。特に、蚊などの侵入を防ぐとともに、テント内の視認性を低下可能なサイズが好ましい。
メッシュ扉用タッセルの構造は、手繰った左右の部分メッシュ扉を掛止可能であれば任意である。
各メッシュ扉用タッセルのテント本体の左右の前側部分における取り付け位置は任意である。例えば、前面シートの左右の端部でも、左右の側面シートの前端部でもよい。
【００１７】
請求項３に記載の考案は、前記床面シートの前端には、ロール状に巻き取った前記スクリーン扉を掛止するためのスクリーン扉用タッセルが設けられたことを特徴とする請求項１または請求項２に記載のテントである。
スクリーン扉用タッセルの構造は、ロール状のスクリーン扉を掛止可能であれば任意である。
【００１８】
請求項４に記載の考案は、前記後面シートには、通気性を有するメッシュシートが展張された通気窓が形成され、前記通気窓は、不透明な前記布地からなる目隠し用のカバーシートにより開閉自在に塞がれたことを特徴とする請求項１〜請求項３のうち、何れか１項に記載のテントである。
【００１９】
通気窓の形状は任意である。例えば、矩形状、円形、楕円形などを採用することができる。
また、通気窓のサイズは任意である。例えば、後面シートの全域でも、その一部でもよい。
メッシュシートの素材は、通気性を有していれば任意である。例えば、ポリプロピレン、ポリエステル、グラスファイバーなどを採用することができる。
メッシュシートの網目サイズは、例えば、１５〜５０メッシュである。特に、蚊などの侵入を防ぐとともに、テント内の視認性を低下可能なサイズが好ましい。
カバーシートの素材は任意である。
カバーシートの形状は、通気窓の形状に応じて適宜変更される。
カバーシートを通気窓に開閉自在に取り付けるものとしては、例えば、線状ファスナ、面状ファスナ、ホック、フックなどを採用することができる。
【考案の効果】
【００２０】
本考案によれば、フロントシートを、掛止部材を介して、テント本体の床面シートの前端に着脱自在に連結したため、必要に応じてフロントシートをテントから取り外すことができる。
これにより、テントとは離れた場所へ移動し、フロントシートを使用することができる。また、シート表面に土、砂、木の葉等のごみが飛来した場合、フロントシートを振るうことで、シート表面上のごみを一度に払い落とすことができる。しかも、フロントシートが破損したり、汚れが激しい場合には、このような不具合がない新品のフロントシートに交換でき、また使用者の好みに応じて、素材、色、柄等の異なるフロントシートに変更することもできる。
【００２１】
特に、請求項２に記載の考案によれば、スクリーン扉用線状ファスナにおいて、２個のスクリーン扉用スライダを互いに離間方向へ移動させて、スクリーン扉を開く。一方、メッシュ扉では、逆Ｔ字状に配された第１〜第３の線状ファスナにおいて、第１〜第３のスライダを、互いに離間方向（逆Ｔ字の３つの端方向）へ移動させる。これにより、メッシュ扉が、左側部分メッシュ扉と右側部分メッシュ扉とに２等分割される。
その後、各部分メッシュ扉をカーテンのように左右へ手繰り、対応するメッシュ扉用タッセルによってこれらを束ねた後、テント本体の左右の前側部分に掛止する。こうして、使用者が出入り可能な出入口が現出する。
【００２２】
本テントは、いわゆる無端線材の弾性力によってワンタッチ設営が可能な“ポップアップテント（ワンタッチテント）”である。ポップアップテントの前面シートの形状は、その構造上、一般的に半楕円状となる。そのため、上底より下底の方が長い台形状の出入口とした方が、開口面積を大きく確保することができる。
このような台形状の出入口を最大限に利用するためには、スクリーン扉の開閉方式として、このように出入口との間で下向きコの字状に配された１条のスクリーン扉用線状ファスナを利用し、台形状のスクリーン扉を下方へ開かせるものを採用した方がよい。例えば、従来のテント（例えば、特許文献１）のように、逆Ｔ字状に配した３本の線状ファスナを使用し、スクリーン扉のカーテン状に左右へ開かせるものであれば、各部分スクリーン扉を左右側で束ねたとき、台形状の出入口の左右の上部コーナーが、各部分スクリーン扉の上端部によって塞がれてしまい、その分だけ通気性が損なわれる。
もちろん、本テント（請求項２のテント）でも、スクリーン扉とメッシュ扉とを開扉した出入口の全開時には、束ねられた左右側の部分メッシュ扉の上端部により出入口の左右の上部コーナーが塞がれる。しかしながら、これらの部分メッシュ扉は通気性素材からなる。そのため、出入口の全開時、テント内の通気性はほとんど損なわれない。
【００２３】
また、スクリーン扉をカーテン状に開く方式を採用した従来品の場合には、例えば、テント内での着替え時や夜間において、テント外の様子を出入口の隙間から覗き見たいとき、使用者は、床面シートに這った姿勢をとる必要があった。その理由は、第１〜第３の線状ファスナを閉じたときの各スライダの位置が、３条の線状ファスナが接する位置、すなわちスクリーン扉の下端のうち、その幅方向の中間位置となるためである。
これに対して、本テントでは、下向きコの字状をした１条のスクリーン扉用線状ファスナに２個のスクリーン扉用スライダを配している。そのため、この線状ファスナ上であれば、任意位置をスクリーン扉の開閉開始位置とすることができる。すなわち、この開閉開始位置を、例えば出入口の一方の上端コーナーとすれば、両スクリーン扉用スライダを互いに少しだけ離間方向へ移動させてこのコーナー部分を開けることが可能である。そのため、使用者は起き上った楽な姿勢で、テントの外を覗き見ることができる。
【００２４】
なお、メッシュ扉を、スクリーン扉と同じ台形状として、下向きコの字状に配された１条の線状ファスナを利用し、その自重により下方へ開かせる構成も考えられる。しかしながら、これではメッシュ扉をカーテン状に配した（特に夏場での）清涼感や、リビングにいるような居住感は得られない。しかも、メッシュ扉が下に倒れた状態では、塵が網目に付着しやすく、かつテント内で使用者が移動する際、誤って床面上のメッシュ扉を破くおそれはある。そこで、これを回避するため、スクリーン扉のときのように、ロール状に巻いて収納することが考えられる。しかしながら、メッシュ扉を巻き取る際に、蚊などの昆虫や小枝などの塵を巻き込んだり、その小枝などでメッシュ扉が破れたりするおそれもある。スクリーン扉の場合、仮に昆虫を巻き込んでも昆虫は外に出にくいが、メッシュ扉の場合、巻き込んだ昆虫は網目を通してテント内に侵入しやすい。
【００２５】
また、フロントシートをテントから離れた場所で使用した際には、開扉された台形状のスクリーン扉を、テントの設営場所の前方で展張すれば、これをフロントシートの代用とすることができる。
以上説明したように、このような構造のスクリーン扉とメッシュ扉とにより台形状の出入口を塞ぐようにしたため、メッシュ扉をカーテン仕様にしたことでの清涼感および居住感と、出入口の全開時における高い通気性の確保と、屋外観察時の楽な姿勢の確保と、破損しやすいメッシュ扉の使用の容易性と、フロントシートを分離したときのスクリーン扉の代替使用性とを同時に満足させることができる。
【００２６】
また、請求項３に記載の考案によれば、ロール状に巻き取ったスクリーン扉は、床面シートの前端に設けたスクリーン扉用タッセルにより、その床面シートの前端に掛止される。その結果、出入口付近の砂や木の葉等が風に吹かれて床面シートに移動しようとしても、ロール状に巻き取ったスクリーン扉が堰となり、これらの塵のテント内への侵入が阻止される。
また、このようなスクリーン扉用タッセルによるスクリーン扉の巻き取り状態の保持構造を採用したため、スクリーン扉を固く巻いたり、緩めたりすることで、スクリーン扉のロール直径を簡単に変更することができる。そのため、例えば、風が強い場所や砂浜等など、設営地の周辺環境に合わせて、足が取られないように出入口の通行性を考慮しつつ、周辺に存在する砂や塵等のテント内への侵入を防げるように、ロール状の堰の高さを変更することができる。
【００２７】
さらに、請求項４に記載の考案によれば、スクリーン扉およびメッシュ扉の各開扉状態で、カバーシートを開く。これにより、メッシュシートを通して出入口と通気窓とが連通し、テント内の通気性がさらに高まる。
【図面の簡単な説明】
【００２８】
【図１】本考案の実施例１に係るテントのフルクローズでの設営状態を示す斜視図である。
【図２】本考案の実施例１に係るテントのフルクローズでの設営状態を示す平面図である。
【図３】本考案の実施例１に係るテントのスクリーン扉の開扉での設営状態を示す斜視図である。
【図４】本考案の実施例１に係るテントのフルオープンでの設営状態を示す斜視図である。
【図５】本考案の実施例１に係るテントのフルオープンでの設営状態で、かつフロントシートを離間した状態を示す斜視図である。
【図６】本考案の実施例１に係るテントのスクリーン扉の一部を開扉してテント外の様子を確認している状態を示す斜視図である。
【図７】本考案の実施例１に係るテントの出入口と通気窓とを連通した状態を示す後方からの斜視図である。
【考案を実施するための形態】
【００２９】
以下、本考案の実施例を具体的に説明する。
【実施例】
【００３０】
図１〜図３において、１０は本考案の実施例１に係るテントで、このテント１０は、弾性変形自在な無端線材１１を８の字状に湾曲することで、この８の字の交点を挟んで連続した左右一対の涙粒状のループ部１２からなるフレーム１３と、フレーム１３に張設された布地からなるテント本体１４とを備えている。
【００３１】
以下、これらの構成体を具体的に説明する。
テント本体１４は、各ループ部１２に展張された左右一対の側面シート１５と、各側面シート１５の下端同士を連結する床面シート１６と、各側面シート１５の前端同士を連結し、かつ出入口１７が形成された前面シート１８と、各側面シート１５の後端同士を連結する後面シート１９と、床面シート１６の前端に、１条のフロントシート用線状ファスナ（掛止部材）２０を介して着脱自在に連結されるフロントシート２１とを有している。
【００３２】
テント本体１４を構成する布地は、撥水性加工およびＵＶ加工が施されたポリアミド合成樹脂繊維製の織物である。
各側面シート１５は、各ループ部１２に展張された略涙粒状の部分と、各側面シート１５の各下部コーナーに対配置された略三角布の部分とからなる。各側面シート１５の外周部には、フレーム１３の各ループ部１２を収納する略涙粒状のワイヤ通し部１５ａが形成されている。各ワイヤ通し部１５ａに対応するループ部１２を挿入することにより、各側面シート１５は、ループ部１２の弾性力によって所定のテンションで展張される。また、ワイヤ通し部１５ａのうち、縦長な前側部および後側部の各長さ方向の中間部には、設営されたテント１０を地面に固定するロープ２２の係止リング２３がそれぞれ連結されている。
各側面シート１５の下端部のうち、幅方向の中間部の内面には、本や携帯電話を収納可能なメッシュ状の合成樹脂シートからなるポケット２４が配設されている。
また、各側面シート１５の連結部（テント１０の頂上部）の内面には、夜間の照明となるランタンＲを吊り下げるためのフックFが取り付けられている。
【００３３】
さらに、床面シート１６は矩形状の布地からなり、その４つのコーナー部には、ペグＰを差し込んでテント本体１４を地面に固定するためのペグ孔ａが形成されている。
前面シート１８は、各側面シート１５の上端部の前端同士を連結する三角形の布地からなる。
後面シート１９は、各側面シート１５の上端部の後端同士を連結し、かつ前面シート１８より面積が大きい三角形の布地からなる。
なお、左右一対の側面シート１５は対向状態で配置され、前面シート１８と後面シート１９とも、対向するように配置される。
【００３４】
出入口１７は、上底より下底の方が長い台形状のものである。
この出入口１７は、不透明な布地からなる目隠し用のスクリーン扉２５と、スクリーン扉２５の内側に配置された通気性を有するメッシュ扉２６とからなる２重扉によって開閉自在に塞がれている。スクリーン扉２５およびメッシュ扉２６は、何れも出入口１７と同一形状、同一サイズのものである。
スクリーン扉２５は、下端のみが床面シート１６の前端に分離不能に連結されたものである。スクリーン扉２５は、２個のスクリーン扉用スライダ２７を有し、かつ下向きコの字状に配されたスクリーン扉用線状ファスナ２８により開閉自在に構成されている。
【００３５】
メッシュ扉２６は、通気性だけでなく、テント１０内の視認性も低下させる、ポリアミド合成樹脂繊維を織った網目サイズが２０メッシュの多孔質シートである。
メッシュ扉２６は、その幅方向の中間部に配されて、第１のスライダ２９を上方向へ移動させることで開扉する縦方向に延びた第１の線状ファスナ３０と、第１の線状ファスナ３０の下端から左方向に延びて、第２のスライダ３１を左方向へ移動させることで開扉する第２の線状ファスナ３２と、第１の線状ファスナ３０の下端から右方向に延びて、第３のスライダ３３を右方移動させることで開扉する第３の線状ファスナ３４とによって開閉可能なカーテン式のものである。
なお、２個のスクリーン扉用スライダ２７と、第１〜第３のスライダ２９，３１，３３とには、テント１０の内外両方からスクリーン扉２５およびメッシュ扉２６を開閉できるように、各スライダ２７，２９，３１，３３の胴体の内側および外側に引手をそれぞれ取り付けてもよい。また、使用者がテントから離れたり、テント１０内で就寝する際には、各スクリーン扉用スライダ２７の引手同士、および、第１〜第３のスライダ２９，３１，３３の引手同士をそれぞれ鍵止めすれば、テント１０の防犯性が高まる（図１および図３の各破線を参照）。
【００３６】
テント本体１４の左右の前側部分のうち、高さ方向の中間部には、メッシュ扉２６の開扉により現出した左側部分メッシュ扉３５と右側部分メッシュ扉３６とをそれぞれ束ねる左右一対のメッシュ扉用タッセル３７が配設されている。
床面シート１６の前端のうち、長さ方向の両端部付近には、ロール状に巻き取ったスクリーン扉２５を掛止するための左右一対のスクリーン扉用タッセル３８が設けられている。
【００３７】
また、テント１０の後面の下半分の領域、すなわち後面シート１９の下方には、上底より下底が長い台形状の通気窓３９が形成されている。通気窓３９には、通気性を有し、かつテント１０内の視認性を低下するメッシュシート４０が分離不能に展張されている。この通気窓３９は、後面シート１９と同じ不透明な布地からなる、目隠し用のカバーシート４１によって開閉自在に塞がれている。カバーシート４１は、通気窓３９と同一形状、同一サイズのものである（図７を参照）。
カバーシート４１は、２個のカバーシート用スライダ４２を有し、かつ下向きコの字状に配されたカバーシート用線状ファスナ４３により開閉自在に構成されている。
床面シート１６の後端のうち、長さ方向の両端部付近には、ロール状に巻き取ったカバーシート４１を掛止するための左右一対のカバーシート用タッセル４４が設けられている。
【００３８】
フロントシート２１は矩形状の布地からなる。そのシートサイズは、横（テント１０の左右方向の長さ）が床面シート１６の幅と同一で、縦（テント１０の前後方向の長さ）が床面シート１６の長さ（奥行き）の半分の長さである。フロントシート２１の前側の各コーナー部には、それぞれペグ孔ａが形成されている。ペグ孔ａは、フロントシート２１をテント１０から外して単体使用するときの利便性を考えて、フロントシート２１の後側の各コーナー部に、一対のペグ孔ａを形成してもよい（図２を参照）。
フロントシート２１の後端と床面シート１６との前端との間には、各全長にわたって、１個のフロントシート用スライダ４５を有する１条のフロントシート用線状ファスナ２０が設けられている。
以上のように構成されるテント１０は、フレーム１３を屈曲させることにより、テント１０を折り畳むことができる。テント１０には、折り畳んだ状態で収容する専用の収納袋（図示せず）が付属されている。
【００３９】
次に、図１〜図７を参照して、本考案の実施例１に係るテント１０の使用方法を説明する。
図１および図２に示すように、テント１０の設営時には、設営現場で、折り畳まれたテント１０を専用の収納袋から取り出し、これを地面に放置する。これにより、フレーム１３の弾性力とテント本体１４の張力とにより、ほぼ瞬時にテント本体１４がドーム状（山形状）に展張される。その後は、テント１０の前方にフロントシート２１を広げて（図４を参照）、床面シート１６の４つのコーナー部と、フロントシート２１の前側の各コーナー部とに配設された合計６つのペグ孔ａにそれぞれペグＰを挿入し、これらを地面に打ち込む。
【００４０】
その後、各側面シート１５の前後一対ずつの係止リング２３に、対応するロープ２２の一端部を連結し、各ロープ２２の他端部に設けられたペグ孔ａにペグＰを挿入し、各ロープ２２を張った状態で各ペグＰを地面に打ち込むことで、テント１０の地面への固定性を高める。
その後、現場へ持ち込んだ本や携帯電話などは、各側面シート１５の内側に配されたポケット２４に収納し、天井のフックFに、夜間の照明となるランタンＲを吊り下げる。
テント１０への出入りは、スクリーン扉２５およびメッシュ扉２６をそれぞれ開き、出入口１７を開放した状態で行われる。
すなわち、スクリーン扉２５の開扉に際しては、スクリーン扉用線状ファスナ２８の上で２個のスクリーン扉用スライダ２７を互いに離間方向へ移動さる。これにより、スクリーン扉２５が自重で落下し、開扉する（図１の実線矢印を参照）。
【００４１】
その後、スクリーン扉２５をロール状に巻き取り、巻き取ったスクリーン扉２５を、床面シート１６の前端に設けたスクリーン扉用タッセル３８により、その床面シート１６の前端に掛止する。その結果、出入口１７付近の砂や木の葉等が、風に吹かれてテント１０内の床面シート１６に移動しようとしても、ロール状に巻き取ったスクリーン扉２５が堰となり、これらの塵のテント１０内への侵入が阻止される。
また、このようにスクリーン扉用タッセル３８によりスクリーン扉２５を巻き取る方式を採用したため、スクリーン扉２５を固く巻いたり、緩めたりすることで、スクリーン扉２５のロール直径を簡単に変更することができる。そのため、例えば、風が強い場所や砂浜等など、設営地の周辺環境に合わせて、足が取られないように出入口１７の通行性を考慮しつつ、周辺に存在する砂や塵等のテント１０内への侵入を防げるように、ロール状の堰の高さを変更することができる。
【００４２】
一方、メッシュ扉２６では、逆Ｔ字状に配された第１〜第３の線状ファスナ３０，３２，３４において、第１〜第３のスライダ２９，３１，３３を、互いに離間方向（逆Ｔ字の３つの端方向）へ移動させる（図３の実線矢印を参照）。これにより、メッシュ扉２６が、左側部分メッシュ扉３５と右側部分メッシュ扉３６とに２等分割される。その後、各部分メッシュ扉３５，３６をカーテンのように左右へ手繰り、対応するメッシュ扉用タッセル３７によってこれらを束ねて、テント本体１４の出入口１７の左右側部分に掛止する。こうして、使用者が出入り可能に開放された出入口１７が現出する。
【００４３】
出入口１７の形状は、テント１０の前面シート１８で開口面積を最大に得られるように、上底より下底の方が長い台形状としている。これは、このテント１０が“ポップアップテント（ワンタッチテント）”であって、その構造上、このテント１０の前面シート１８の形状が、一般的に半楕円状となるためである。半楕円状の前面シート１８の場合、上底より下底の方が長い台形状の出入口１７とした方が、開口面積を大きく確保することができる。
また、このような台形状の出入口１７を最大限に利用するためには、スクリーン扉２５の開閉方式として、このように出入口１７との間で下向きコの字状に配された１条のスクリーン扉用線状ファスナ２８を利用し、台形状のスクリーン扉２５を、その自重により下方へ開かせるものを採用した方が好ましい。
【００４４】
例えば、従来のテント（例えば、特許文献１）のように、逆Ｔ字状に配した３本の線状ファスナを使用し、スクリーン扉をカーテン状に左右へ開かせるものであれば、各部分スクリーン扉を左右側で束ねたとき、台形状の出入口の左右の上部コーナーが、各部分スクリーン扉の上端部によって塞がれてしまい、その分だけ通気性が損なわれる。
もちろん、実施例１のテント１０でも、スクリーン扉２５とメッシュ扉２６とを開扉した出入口１７の全開時には、束ねられた左右側の部分メッシュ扉３５，３６の上端部により出入口１７の左右の上部コーナーが塞がれる。しかしながら、これらの部分メッシュ扉３５，３６は通気性素材からなる。そのため、出入口１７の全開時、テント１０内の通気性はほとんど損なわれない。
【００４５】
また、特許文献１のように、スクリーン扉をカーテン状に開く方式を採用したものの場合には、例えば、テント内での着替え時や夜間において、テント外の様子を出入口の隙間から覗き見たい場合がある。このとき、使用者は、床面シートに這った姿勢をとる必要があった。その理由は、第１〜第３の線状ファスナ（３０，３２，３４）を閉じたときの第１〜第３のスライダ（２９，３１，３３）の位置が、３条の線状ファスナ（３０，３２，３４）が接する位置、すなわちスクリーン扉（２５）の下端のうち、その幅方向の中間位置となるためである。
【００４６】
これに対して、実施例１のテント１０では、下向きコの字状をした１条のスクリーン扉用線状ファスナ２８に２個のスクリーン扉用スライダ２７を配している。そのため、スクリーン扉用線状ファスナ２８上であれば、任意位置をスクリーン扉２５の開閉開始位置とすることができる。すなわち、この開閉開始位置を、例えば出入口１７の一方の上端コーナーとすれば、両スクリーン扉用スライダ２７を互いに少しだけ直交する離間方向へ移動させれば、このコーナー部分を、自重によって少しだけ開けることができる。これにより、使用者は起き上った楽な姿勢で、テント１０の外を覗き見ることができる。
【００４７】
なお、メッシュ扉２６を、スクリーン扉２５と同じ台形状とし、かつ下向きコの字状に配された１条の線状ファスナを利用し、その自重により下方へ開かせる構成も考えられる。しかしながら、これでは、メッシュ扉２６をカーテン状に配したことでの清涼感（特に夏場）や、リビングでくつろいでいるような居住感は得られない。しかも、メッシュ扉２６が下に倒れた状態では、塵が網目に付着しやすく、かつ使用者がテント１０内で歩いたり、ひざを擦りながら移動したとき、誤って床面上のメッシュ扉２６を破くおそれがある。
【００４８】
そこで、これを回避するため、スクリーン扉２５の場合のように、メッシュ扉２６をロール状に巻いて収納することも考えられる。しかしながら、メッシュ扉２６を巻き取る際には、蚊などの昆虫や小枝などの塵を巻き込んだり、その小枝でメッシュ扉２６が破れたりするおそれがある。スクリーン扉２５の場合、仮に昆虫を巻き込んでも昆虫は外に出にくいが、メッシュ扉２６の場合、巻き込んだ昆虫は網目を通してテント１０内に侵入しやすい。
【００４９】
また、フロントシート２１をテント１０から離れた場所で使用した際には、開扉された台形状のスクリーン扉２５を、テント１０の設営場所の前方で展張すれば、これをフロントシート２１の代用とすることができる（図５を参照）。
以上説明したように、このような構造のスクリーン扉２５とメッシュ扉２６とにより台形状の出入口１７を塞ぐようにしたため、メッシュ扉２６をカーテン仕様にしたことでの清涼感および居住感と、出入口１７の全開時における高い通気性の確保と、屋外観察時の楽な姿勢の確保と、破損しやすいメッシュ扉２６の使用の容易性と、フロントシート２１を分離したときのスクリーン扉２５の代替使用性とを同時に満足させることができる。
【００５０】
カバーシート４１は、２個のカバーシート用スライダ４２を有し、かつ下向きコの字状に配されたカバーシート用線状ファスナ４３により開閉自在に構成されている。
カバーシート４１の開扉に際しては、カバーシート用線状ファスナ４３の上で２個のカバーシート用スライダ４２を互いに離間方向へ移動さる。これにより、カバーシート４１が自重で落下し、開扉する。
【００５１】
その後、カバーシート４１をロール状に巻き取り、巻き取ったカバーシート４１を、床面シート１６の後端に設けたカバーシート用タッセル４４により、その床面シート１６の前端に掛止する。その結果、通気窓３９付近の砂や木の葉等が風に吹かれて床面シート１６に移動しようとしても、ロール状に巻き取ったカバーシート４１が堰となり、これらの塵のテント１０内への侵入が阻止される。
このようにスクリーン扉２５およびカバーシート４１を開くことで、メッシュシート４０を通して出入口１７と通気窓３９とが連通する。これにより、テント１０内の通気性がさらに高まる。
なお、スクリーン扉２５と同様に、各カバーシート用スライダ４２の引手同士を鍵止めするようにした方が、テント１０の防犯性は高まる。
【００５２】
テント１０の撤収時には、スクリーン扉２５およびメッシュ扉２６を閉扉して、テント１０の前面シート１８に形成された出入口１７を塞ぐとともに、後面シート１９に形成された通気窓３９をカバーシート４１により閉扉する。その後、各ペグＰおよび各ロープ２２をそれぞれ取り外し、左右一対のループ部１２を重ね合わせた後、無端線材１１の弾性力に抗してこれらをねじ曲げて、小径な薄形円板状の物体に折り畳む。その後、これを専用の収納袋に収納する。
【産業上の利用可能性】
【００５３】
本考案は、軽量かつコンパクトに折畳みが可能なテントの技術として有用である。
【符号の説明】
【００５４】
１０  テント
１１  無端線材
１２  ループ部
１３  フレーム
１４  テント本体
１５  側面シート
１６  床面シート
１７  出入口
１８  前面シート
１９  後面シート
２０  フロントシート用線状ファスナ（掛止部材）
２１  フロントシート
２５  スクリーン扉
２６  メッシュ扉
２７  スクリーン扉用スライダ
２８  スクリーン扉用線状ファスナ
２９  第１のスライダ
３０  第１の線状ファスナ
３１  第２のスライダ
３２  第２の線状ファスナ
３３  第３のスライダ
３４  第３の線状ファスナ
３５  左側部分メッシュ扉
３６  右側部分メッシュ扉
３７  メッシュ扉用タッセル
３８  スクリーン扉用タッセル
３９  通気窓
４０  メッシュシート
４１  カバーシート
【図１】
0003213536.tif 000003
【図２】
0003213536.tif 000004
【図３】
0003213536.tif 000005
【図４】
0003213536.tif 000006
【図５】
0003213536.tif 000007
【図６】
0003213536.tif 000008
【図７】
0003213536.tif 000009
【手続補正書】
【提出日】平成29年9月14日(2017.9.14)
【手続補正１】
【補正対象書類名】実用新案登録請求の範囲
【補正対象項目名】全文
【補正方法】変更
【補正の内容】
【実用新案登録請求の範囲】
【請求項１】
弾性変形自在な無端線材を８の字状に湾曲することで、この８の字の交点を挟んで連続した左右一対のループ部からなるフレームと、該フレームに張設された布地からなるテント本体とを備え、
前記テント本体は、
各前記ループ部に展張された左右一対の側面シートと、
各該側面シートの下端同士を連結する床面シートと、
前記各側面シートの前端同士を連結し、かつ出入口が形成された前面シートと、
前記各側面シートの後端同士を連結する後面シートと、
前記床面シートの前端に、掛止部材を介して着脱自在に連結されるフロントシートとを有したことを特徴とするテント。
【請求項２】
前記出入口は、上底より下底の方が長い台形状のもので、
前記出入口は、不透明な前記布地からなる目隠し用のスクリーン扉と、該スクリーン扉の内側に配置された通気性を有するメッシュ扉とからなる２重扉によって開閉自在に塞がれ、
前記スクリーン扉は、下端のみが前記床面シートの前端に分離不能に連結され、かつ２個のスクリーン扉用スライダを有して下向きコの字状に配されたスクリーン扉用線状ファスナにより開閉自在に構成され、
前記メッシュ扉は、該メッシュ扉の幅方向の中間部に配されて、第１のスライダを上方向へ移動させることで開扉する縦方向に延びた第１の線状ファスナと、該第１の線状ファスナの下端から左方向に延びて、第２のスライダを左方向へ移動させることで開扉する第２の線状ファスナと、前記第１の線状ファスナの下端から右方向に延びて、第３のスライダを右方移動させることで開扉する第３の線状ファスナとにより開閉可能なカーテン式のもので、
前記テント本体の左右の前側部分には、前記メッシュ扉の開扉により現出した左側部分メッシュ扉と右側部分メッシュ扉とをそれぞれ束ねる左右一対のメッシュ扉用タッセルが配設されたことを特徴とする請求項１に記載のテント。
【請求項３】
前記床面シートの前端には、ロール状に巻き取った前記スクリーン扉を掛止するためのスクリーン扉用タッセルが設けられたことを特徴とする請求項２に記載のテント。
【請求項４】
前記後面シートには、通気性を有するメッシュシートが展張された通気窓が形成され、
前記通気窓は、不透明な前記布地からなる目隠し用のカバーシートにより開閉自在に塞がれたことを特徴とする請求項１〜請求項３のうち、何れか１項に記載のテント。